(57)【要約】      （修正有）【課題】カールアイロンの先の方で挟んだ毛束が、ずれて落ちてしまうことがないカールアイロンを提供する。【解決手段】カールアイロンの毛束を挟むプレートの、指で押さえる部分と、毛束を挟む部分との間に可動する仕組みを作り、カールアイロンを開くと、その可動する所を支点として、毛束を挟むプレートの先が少し下がる構造にすることにより、カールアイロンに毛束を挟んだ時、毛束の量や厚みに関係なく、加熱されるロッドと、毛束を挟むプレートが、常に平行に保たれ、毛束に均等に密着して、巻き付けやすくなり、熱やテンションを一定に加えることができるようになる。【選択図】図１
0003144091.tif 000002
【実用新案登録請求の範囲】
【請求項１】
毛束を挟むプレートの、指で押さえる部分と、毛束を挟む部分との間に可動する仕組みを作り、カールアイロンを開くと、その可動する所を支点として、毛束を挟むプレートの先が少し下がる構造にすることにより、カールアイロンに毛束を挟んだ時、毛束の量や厚みに関係なく、加熱されるロッドと、毛束を挟むプレートが、常に平行に保たれ、毛束に対し均等に密着して、巻き付けやすくなり、熱やテンションを一定に加えることができるカールアイロン。
【考案の詳細な説明】
【技術分野】
【０００１】
本考案は、電気、ガス等により加熱して、毛束を巻き付け、カールスタイルを作るために使用するカールアイロンに関するものである。
【背景技術】
【０００２】
カールアイロンを使用して、髪をカール状にセットする時、加熱されるロッドと、毛束を挟むプレートの間に毛束を挟むと、カールアイロンが、はさみを少し開いたような形状になり、カールアイロンの元の方はうまく挟めても、カールアイロンの先の方は、加熱されるロッドと、毛束を挟むプレートの間にすき間ができ、巻き付けにくく、熱やテンションが、思うように加わらない。
【考案の開示】
【考案が解決しようとする課題】
【０００３】
従来のカールアイロンを使用して、髪をカール状にセットする時、加熱されるロッドと、毛束を挟むプレートの間に毛束を挟むと、カールアイロンが、はさみを少し開いたような形状になり、カールアイロンの元の方はうまく挟めても、カールアイロンの先の方は、加熱されるロッドと、毛束を挟むプレートの間にすき間ができ、巻き付けにくく、熱やテンションが均等に加わらない。その上、そのすき間から、毛束がずれて行ってしまう。そのためカールアイロンは一般の人だけでなく、熟練した理容師、美容師にとっても、使いづらい面があった。
【課題を解決するための手段】
【０００４】
カールアイロンの毛束を挟むプレートの、指で押さえる部分と、毛束を挟む部分との間を可動するようにして、カールアイロンを開くと、その可動する所を支点として、毛束を挟むプレートの先が少し下がる構造にすることにより、カールアイロンに毛束を挟んだ時、毛束の量や厚みに関係なく、加熱されるロッドと、毛束を挟むプレートが、常に平行に保たれ、毛束に均等に密着して、巻き付けやすくなり、熱やテンションを一定に加えることができるようになる。
【考案の効果】
【０００５】
本考案のカールアイロンを使う事により、カールアイロンの先の方で挟んだ毛束が、ずれて落ちてしまうことがなくなり、今まで、カールスタイルが上手にできないと、あきらめていた人でも、きれいに巻き付けることができるようになる。
【考案を実施するための最良の形態】
【０００６】
カールアイロンの毛束を挟むプレートの、指で押さえる部分と、毛束を挟む部分との間、１を可動するようにして、カールアイロンを開くと１の部分を支点として毛束を挟むプレートの先が少し下がる構造にすることにより、カールアイロンに毛束を挟んだ時、毛束の毛量や厚みに関係なく、加熱されるロッドと、毛束を挟むプレートが、常に平行に保たれ、毛束に均等に密着して、巻き付けやすくなり、熱やテンションを一定に加えることができるようになる。
【実施例】
【０００７】
図１、図２、図３は、本考案のカールアイロンの側面図ですが、図１は髪を挟むプレートを開いた状態です。図２は髪を挟むプレートが閉じ切る少し前で、加熱されるロッドに、毛束を挟むプレートの先２だけが接触した状態です。図３は髪を挟むプレートが完全に閉じた状態です。図４はその平面図です。
【０００８】
図５と図６は、本考案のカールアイロンの主な部品の図ですが、図３においての３の部分だけを描いてあり、図５は側面図で、図６は背面図です。符号の４、５、６、７、８、９は、部品自体を指しています。
【０００９】
７は、毛束を挟むプレートであり、４は、それを開くための部品で、１１の指で押さえる部分を押し下げると１０の穴を支点として、７の毛束を挟むプレートが、８の加熱されるロッドに対して開くようになる。従来のカールアイロンでは、この７と４の部品が一体になっており、毛束を挟んだ時、カールアイロンが、はさみを少し開いたような形状になっていた。
【００１０】
５は、閉じる方向に力が働くバネであり、先端部分１１は１３の穴に入れ、先端部分１２は１４の穴に入れ、４の部品の１６の位置に、５のバネの１５のスパイラル状の部分が収まるように空間が作ってあるので、そこに収まる。
【００１１】
６は、４，５，７の部品をまとめるネジですが、その先が１７の穴，１８の穴、５のバネの１５の部分の中心の穴、１９の穴、というように通したあと、２０のネジ穴に締めこまれて固定される。
【００１２】
これで４，５，６，７が、一つに組み合わされるのですが、固定されているのは、６のネジと７の毛束を挟むプレートだけであり、４の部品に関しては２５の面と２６の面の角度を変えてある分、可動するようになり、何も負荷が掛かっていない時は、５のバネの閉じようとする力により、７の毛束を挟むプレートが、４の部品の２６の面に密着するようになる。
【００１３】
部品８は従来からあるカールアイロンと同様のもので、加熱されて毛束を巻きつけるロッドであり、上部の元の方に、２２の開く方向に力が働くバネを、２３の留め具により固定してあり、バネの先端には２１の摩擦を軽減するローラーが付いている、この２２のバネは、５のバネに比べると力が強く働いて４の指で押さえる部分を押し戻す。そして、それらすべての部品をネジ９が、１０の穴を通って、２４のネジ穴に締めこまれて固定され、図７、図８のような形状になる。
【００１４】
図７は、図５の部品をすべて組み合わせた図で、図８は図６の部品をすべて組み合わせた図であるが、図６での２１，２２，２３の部品は、従来からよくある形状の部品であり、本考案にはそれほど重要ではではなく、図が分かりにくくなるので、図８においては、あえて省いて描いてあります。
【００１５】
この先は本考案の効果について、断面図を用いて、わかりやすく説明します。図９、図１０、図１１は、図４においての２７、２８間の切断面を、２９の方向から見た断面図を描いてあります、図９は図１での３０の部分、図１０は図２での３１の部分、図１１は図３での３２の部分だけを描いた断面図です、しかし５のバネについては切断面の中央に位置し、現実に、ねじれや、ひずみにより断面が複雑になるので、側面からの視点で描いてあります。
【００１６】
図９は本考案のカールアイロンを開いた状態の断面図ですが、５のバネの閉じようとする力により、７のプレートが、４の部品の２６の面に密着して３３の角度だけ少し下がるようになる仕組で、全体で見ると図１の側面図の状態です。
【００１７】
図１０は、図２で描いた、髪を挟むプレートが閉じ切る少し前で、加熱されるロッドに、毛束を挟むプレートの先２だけが接触した状態の断面図ですが、図９と同様に７のプレートが、４の部品の２６の面に密着している。
【００１８】
図１１は、図３で描いた髪を挟むプレートが完全に閉じ切った状態の断面図で、バネ５に比べ、バネ２２は力が強いので、７のプレートが、４の部品の２５の面に密着し、且つ、８のロッドにも密着するようになる。この状態は、実際に毛量が少なく、厚さも薄い毛束を、カールアイロンに挟んだ時と同じ形状になる。
【００１９】
図１１の状態に、毛量が多く厚みもある毛束３４を挟むと、図１２の様になる、ここではバネ２２の力でプレート７が押し付けられ、毛束３４に対して、加熱されるロッド８と、毛束を挟むプレート７が、平行に保たれ、毛束３４に均等に密着しているのがわかる。この状態では、プレート７は、４の部品の２５、２６の、どちらの面にも密着していない。
【００２０】
図１２の状態にて、毛束３４の毛量の変化に伴って、厚み３５がどのように変わっても、この可動する仕組みによって、加熱されるロッド８、毛束、プレート７が、常に浮くことが無く、平行に保たれ、均等に密着して、巻き付けやすく、熱やテンションを一定に加えることができるカールアイロンになる。
【００２１】
本考案において、可動する部分の位置は、１の場所だけでなく、図３においての３６の部分なら、どこに作っても得られる効果は同じであり、その仕組み、構造、デザインは数多く考えられる。カールアイロンの毛束を挟むプレートの、指で押さえる部分と、毛束を挟む部分との間に可動する仕組みを作り、カールアイロンを開くと、その可動する所を支点として、毛束を挟むプレートの先が少し下がる構造にすれば、どんな形状でも同じ効果が得られる。
【００２２】
すべての図において、本来カールアイロンに有るべき、電源のスイッチ、温度調節のスイッチ、温度表示の部分、電気コード、また断面図においてもヒーター部分、配線、内部の構造等、本考案の意図に直接関係の無い物は表記しておりません。
【産業上の利用可能性】
【００２３】
一般家庭にて、カールアイロンを所有している人は多く存在しますが、上手にカールスタイルが作れず、カールアイロンをあまり使っていない人が多いのも現状です。本考案のカールアイロンを使用する事により、カールアイロンの先の方で挟んだ毛束が、ずれて落ちてしまうことがなくなり、今まで、カールスタイルが上手にできないと、あきらめていた人でも、きれいに巻きつけることができるようになる。又、一般の人だけではなく、プロの理容師、美容師が使用しても、従来よりも簡単に、きれいなカールスタイルが作れるようになる。
【００２４】
もちろん、スタイリングだけにとどまらず、パーマ用の器具としても使用できる。
【図面の簡単な説明】
【００２５】
【図１】髪を挟むプレートを開いた状態の側面図
【図２】髪を挟むプレートが閉じ切る少し手前の状態の側面図
【図３】髪を挟むプレートが閉じた状態の側面図
【図４】髪を挟むプレートが閉じた状態の平面図
【図５】主な部品の側面図
【図６】主な部品の背面図
【図７】図５の部品を組み込んだ側面図
【図８】図６の部品を組み込んだ背面図
【図９】図１の３０の部分だけを描いた断面図
【図１０】図２の３１の部分だけを描いた断面図
【図１１】図３の３２の部分だけを描いた断面図
【図１２】図１１に毛束を挟んだ状態の断面図
【符号の説明】
【００２６】
１    可動する部分
２    髪を挟むプレートの先端部分
３    図５、図６、図７に描いた切断部分
４    指で押し下げ、髪を挟むプレートを開くための部品
５    閉じる方向に力が働くバネ
６    ４，５，７の部品を留めるネジ
７    毛束を挟むプレート
８    加熱され、毛束を巻きつけるロッド
９    １０の穴を通って２４に締めこまれるネジ
１０  ９のネジが通る穴
１１  ５のバネの、先端部分
１２  ５のバネの、もう片方の先端部分
１３  １１の部分が入る穴
１４  １２の部分が入る穴
１５  ５のバネのスパイラル状の部分
１６  １５の部分が収まる空間
１７  ６のネジを通す穴の位置
１８  ６のネジを通す穴の位置
１９  ６のネジを通す穴の位置
２０  ６のネジを止めるネジ穴の位置
２１  摩擦を軽減するローラー
２２  開く方向に力が働くバネ
２３  ２２のバネを８のロッドに固定する留め具
２４  ９のネジを止めるネジ穴の位置
２５  ７のプレートを閉じた時に密着する面
２６  ７のプレートを開いた時に密着する面
２７  切断面の始点
２８  切断面の終点
２９  切断面を見る方向
３０  図９に描いた切断部分
３１  図１０に描いた切断部分
３２  図１１に描いた切断部分
３３  ７のプレートが少し下がる角度
３４  毛量が多く厚みもある毛束の断面
３５  ３４の毛束の厚みの幅
３６  可動する部分を作れる範囲
【図１】
0003144091.tif 000003
【図２】
0003144091.tif 000004
【図３】
0003144091.tif 000005
【図４】
0003144091.tif 000006
【図５】
0003144091.tif 000007
【図６】
0003144091.tif 000008
【図７】
0003144091.tif 000009
【図８】
0003144091.tif 000010
【図９】
0003144091.tif 000011
【図１０】
0003144091.tif 000012
【図１１】
0003144091.tif 000013
【図１２】
0003144091.tif 000014